(57)【要約】【課題】無駄な消耗品や待機時電力がなく、小型で且つ構造が簡単で、使い勝手がよく、再利用可能とする。【解決手段】（ａ）に示すように、耐熱性樹脂シート２１の両面に離型層兼光吸収層２２をコーティングにより設けた３層構成となっている。離型層兼光吸収層２２は、画像形成時にはレーザー光を吸収して発熱することで特殊紙表面に形成されたトナー画像を溶融定着し、画像除去時には適度な離型性を確保することで再溶融したトナー画像を容易に除去できる。（ｂ）に示すように、光吸収層２３と離型層２４を分離した５層構成としてもよい。（ｃ）に示すように、耐熱樹脂シートに赤外線吸収材を内添させることで、耐熱樹脂シートと光吸収層とを兼用させてもよい（光吸収層兼耐熱樹脂シート２５）。【選択図】図２
2010243596.tif 000002
【特許請求の範囲】
【請求項１】
トナー画像を除去することで繰り返し使用可能な画像記録媒体であって、
表面近傍に光を吸収して発熱する光吸収層が設けられていることを特徴とする画像記録媒体。
【請求項２】
前記光吸収層は、フッ素樹脂を含有していることを特徴とする請求項１に記載の画像記録媒体。
【請求項３】
前記光吸収層の表面に、更に透明の離型層が設けられていることを特徴とする請求項１又は２に記載の画像記録媒体。
【請求項４】
前記離型層は、フッ素樹脂からなることを特徴とする請求項３に記載の画像記録媒体。
【請求項５】
耐熱性樹脂からなる基材を有していることを特徴とする請求項１から４のいずれかに記載の画像記録媒体。
【請求項６】
前記耐熱性樹脂は、アリルエステル硬化性樹脂からなることを特徴とする請求項５に記載の画像記録媒体。
【請求項７】
前記基材は、光吸収層を兼ねていることを特徴とする請求項５又は６に記載の画像記録媒体。
【請求項８】
トナー画像が形成された画像記録媒体を搬送する搬送手段と、前記画像記録媒体にレーザーを照射するレーザー照射手段と、該レーザー照射手段によって加熱された表面を前記画像記録媒体のカラートナー画像面側に接触させることで、トナー画像を加熱溶融させて画像記録媒体から除去する除去手段と、各部を制御する制御手段とを備えたことを特徴とする画像記録媒体の再利用装置であって、
前記レーザー照射手段は、画像記録媒体にトナー画像を定着させる定着用熱源を兼用しており、前記画像記録媒体の表面近傍には光を吸収して発熱する光吸収層が設けられていることを特徴とする画像記録媒体の再利用装置。
【請求項９】
前記トナー画像がカラートナーで構成されていることを特徴とする請求項８に記載の画像記録媒体の再利用装置。
【請求項１０】
前記レーザー照射手段から照射されるレーザー光の光路を変更するための光路変更手段を備え、
普通紙からなる画像記録媒体上のトナー画像を定着する場合、前記光路変更手段により、前記レーザー光を前記除去手段に照射し発熱させると共に、前記除去手段を画像記録媒体のトナー画像面側に当接し、前記除去手段の熱と圧力を用いて定着を行うことを特徴とする請求項８から１０のいずれかに記載の画像記録媒体の再利用装置。
【請求項１１】
前記除去手段の表面は、フッ素ゴムからなることを特徴とする請求項８から１１のいずれかに記載の画像記録媒体の再利用装置。
【請求項１２】
前記除去手段の表面にアミノ変性シリコンオイルを塗布する塗布手段を備えたことを特徴とする請求項１１に記載の画像記録媒体の再利用装置。
【請求項１３】
前記塗布手段は、前記除去手段で除去したトナーのクリーニング手段を兼用していることを特徴とする請求項１２に記載の画像記録媒体の再利用装置。
【請求項１４】
前記制御手段は、トナー画像定着を定着させる画像形成時とトナー画像を除去する画像消去時とで、前記画像記録媒体の搬送速度を変更することを特徴とする請求項８〜１３のいずれかに記載の画像記録媒体の再利用装置。
【請求項１５】
前記制御手段は、画像消去時の前記画像記録媒体の搬送速度を画像形成時の搬送速度よりも遅くすることを特徴とする請求項１４に記載の画像記録媒体の再利用装置。
【請求項１６】
前記制御手段は、トナー画像定着を定着させる画像形成時とトナー画像を除去する画像消去時とで、前記レーザー照射手段の出力を変更することを特徴とする請求項８〜１５のいずれかに記載の画像記録媒体の再利用装置。
【請求項１７】
前記制御手段は、画像消去時の前記レーザー照射手段の出力を画像形成時の出力よりも大きくすることを特徴とする請求項１６に記載の画像記録媒体の再利用装置。
【請求項１８】
前記制御手段は、画像情報に基づいて前記レーザー光を選択的に照射することを特徴とする請求項８〜１７のいずれかに記載の画像記録媒体の再利用装置。
【請求項１９】
前記制御手段は、前記搬送手段の温度情報に基づいてレーザー出力或いは用紙搬送速度を制御することを特徴とする請求項８から１８のいずれかに記載の画像記録媒体の再利用装置。
【請求項２０】
前記制御手段は、前記除去手段の温度情報に基づいて前記レーザー出力或いは用紙搬送速度を制御することを特徴とする請求項８から１９のいずれかに記載の画像記録媒体の再利用装置。
【請求項２１】
前記レーザー照射手段は、複数の半導体レーザー素子を画像記録媒体の搬送方向と直交する方向にアレイ状に並べたレーザーアレイからなることを特徴とする請求項８から２０のいずれかに記載の画像記録媒体の再利用装置。
【請求項２２】
表面に静電潜像が形成される像担持体と、像担持体表面を帯電させる帯電装置と、像担持体表面に静電潜像を形成する露光装置と、像担持体表面の静電潜像にトナーを供給してトナー像を形成する現像装置と、像担持体表面のトナー像を画像記録媒体に転写する転写装置と、前記転写されたトナー像を画像記録媒体に定着させる定着装置とを備え、電子写真方式によりトナーを用いて画像を形成する画像形成装置において、
請求項８から２１のいずれかに記載の画像記録媒体の再利用装置を備えたことを特徴とする画像形成装置。
【請求項２３】
画像形成時に、前記除去手段をレーザーが照射されない状態で前記画像記録媒体のトナー画像面に当接することを特徴とする請求項２２に記載の画像形成装置。
【請求項２４】
前記画像形成装置は両面印字機能を備えており、１面目にトナー画像除去を行い、２面目に画像形成を行うことを特徴とする請求項２２又は２３に記載の画像形成装置。
【請求項２５】
未定着或いは定着されたトナー画像が形成された前記画像記録媒体に対し、トナー画像定着を定着させる画像形成時とトナー画像を除去する画像消去時には、前記画像記録媒体に前記レーザー光を直接照射し、前記画像記録媒体表面を発熱させることで、その上に形成された未定着トナー画像を加熱溶融し、前記画像記録媒体への定着を行い、
トナー画像の消去時には、前記レーザー光を前記除去手段に照射することで前記除去手段表面を加熱し、加熱された前記除去手段表面を前記画像記録媒体の定着されたトナー画像に接触させることで、トナー画像を加熱溶融して前記画像記録媒体から除去することを特徴とする画像記録媒体の再利用方法。
【発明の詳細な説明】
【技術分野】
【０００１】
本発明は、電子写真方式などにおいてレーザーを用いてトナーの定着とその除去を行い画像記録媒体を再利用可能とした画像記録媒体、画像記録媒体の再利用装置、これを備えた画像形成装置、及び画像記録媒体の再利用方法に関するものである。
【背景技術】
【０００２】
昨今、地球環境問題、特に温室効果ガスの排出による地球温暖化問題が非常に深刻な事態となっている。複写機、プリンタ等の電子写真方式を用いた画像形成装置においては、ライフサイクルアセスメント（ＬＣＡ）にて製品の一生における環境負荷をＣＯ２排出量に換算して評価した結果、装置本体を製造或いは廃棄する際に発生するＣＯ２や、装置本体が消費する電力に相当するＣＯ２よりも、画像形成装置が消費する画像記録体（用紙）を製造する際に発生するＣＯ２が圧倒的に多いことがわかった。したがって、画像形成装置において、環境負荷を大幅に低減するには、用紙を再利用（リユース）することが最も効果的である。
【０００３】
このような観点から、一度、画像形成した用紙を再利用する技術が各種提案されている。
【０００４】
特許文献１では、加熱した剥離部材を用いて、トナー像を用紙から剥離することで用紙を再利用する技術が開示されている。
【０００５】
特許文献２では、加熱することにより消色するトナーを用いて、トナー像を消色することで用紙を再利用する技術が開示されている。
【０００６】
特許文献３では、ＯＨＰフィルム上のトナーを、一定時間、トナー樹脂の可溶性溶剤中に浸漬し、トナー像をフィルム面より除去することでＯＨＰフィルムを再利用する技術が開示されている。
【０００７】
特許文献４では、トナー像に熱溶融性材料を付着させて、トナー像と共に加熱溶融して離型部材を圧接し、用紙と離型部材を引き離し、トナー像を熱溶融材料と共に転移させることで用紙を再利用する技術が開示されている。
【先行技術文献】
【特許文献】
【０００８】
【特許文献１】特開平９−１９７９２６号公報
【特許文献２】特開２００６−１５４４８５号公報
【特許文献３】特開平１−１０１５７７号公報
【特許文献４】特開平９−１７９４６１号公報
【発明の概要】
【発明が解決しようとする課題】
【０００９】
しかしながら、このような従来の再利用技術においては、以下のような課題がある。
【００１０】
すなわち、特許文献１に記載の再利用技術では、トナーを用紙から剥離する際に多量の熱エネルギーが必要となり、トータルの環境負荷としてみた場合、決して好ましい方法ではない。また、用紙からトナー画像を剥離する際に用紙が熱的、機械的なダメージを受けるため、再利用回数が数回に限られるといった課題も有する。
【００１１】
また、特許文献２に記載の再利用技術では、トナー画像の色が消えたとしても、トナーの樹脂成分は用紙上に残っているため、完全に画像を見えなくすることができない。その結果、再利用回数が数回に限定されると同時に、セキュリティ面でも好ましくない。更に、トナーの消色に熱エネルギーを必要とするため、トータルの環境負荷としてみた場合、決して好ましい方法ではない。
【００１２】
また、特許文献３に記載の再利用技術では、ＯＨＰフィルムが対象であり、用途が限定されてしまう。また、トナー樹脂にもＯＨＰフィルムも同じポリエステル樹脂からなるものがあるため、ポリエステル系トナー樹脂に対応しようとした場合、フィルム自体も可溶性溶剤にて溶けてしまうといった課題がある。更に、トナー樹脂もＯＨＰフィルムも同じポリエステル系樹脂からなるため、親和性が高く、トナーが溶融、定着した場合の定着強度が非常に大きくなるため、可溶性溶剤で簡単にトナー像を除去することが困難である。加えて、ＯＨＰフィルム表面の親水性が高く（ポリエステル系樹脂の水の接触角７８（°））、水がベースの可溶性溶剤がフィルム表面に濡れやすく、溶剤の消費量が多くなるといった課題もある。
【００１３】
また、特許文献４に記載の再利用技術では、画像を消去する際に熱溶融材料を消費してしまう課題がある。熱溶融材料は従来のトナーとは異なり、着色剤が含まれていないとはいえ、トナー材料で構成されており、トナー材料自体用紙に比べて高価であり、且つ、製造時にＣＯ２を発生させることから、環境負荷低減に繋がらない。また、画像記録用と画像消去用に各々別個の熱源が必要となり、構成が複雑となる。更に、ヒートローラや剥離兼ヒートローラの熱容量が大きく、再利用装置のウオームアップに時間がかかる。そのため使い勝手の点から常に予熱しておく必要があり、無駄な待機時電力が必要となる。
【００１４】
本発明は、上記従来の課題に鑑みてなされたものであり、無駄な消耗品や待機時電力がなく、小型で且つ構造が簡単で、使い勝手のよい再利用可能な画像記録媒体とその再利用方法、再利用装置、並びにこの再利用装置を備えた画像形成装置を提供することを目的とする。
【課題を解決するための手段】
【００１５】
本発明は、トナー画像を除去することで繰り返し使用可能な画像記録媒体であって、表面近傍に光を吸収して発熱する光吸収層が設けられていることを特徴とする。
【００１６】
これにより、再利用可能な画像記録媒体の定着手段として、レーザーやフラッシュなどの光を用いた場合の、トナーがカラートナーであったり、画像パターンがハーフトーン画像の際の光が吸収されにくく定着しづらいといった課題に対し、画像記録媒体表面に光を吸収し熱に変換する光吸収層を設けることで、トナーの種類（色）や画像パターン（濃度）に依らず、均一な定着性を確保することができる。
【００１７】
また、本発明は、前記光吸収層が、フッ素樹脂を含有していることを特徴とする。
【００１８】
これにより、フッ素樹脂はトナーとの離型性に優れるため、画像記録媒体からトナーを容易に除去することができる。
【００１９】
また、本発明は、前記光吸収層の表面に、更に透明の離型層が設けられていることを特徴とする。さらに、前記離型層は、フッ素樹脂からなることを特徴とする。
【００２０】
これにより、透明の離型層であれば、光を遮ることなく、光吸収層を光で発熱させることができる。また、離型層と光吸収層が機能分離されるので、離型層は離型性、光吸収層は発熱性に特化することができ、それぞれ最大の効果を発揮させることができる。このような透明の離型層としてはフッ素樹脂が適している。
【００２１】
また、本発明は、耐熱性樹脂からなる基材を有していることを特徴とする。また、前記耐熱性樹脂は、アリルエステル硬化性樹脂からなることを特徴とする。
【００２２】
これにより、基材が耐熱性樹脂で構成されているため、レーザーなどの光が照射されても基材が溶融することがなく、トナー画像だけを溶融定着することができる。特にアリルエステル硬化性樹脂は耐熱温度が２５０（℃）以上あり、レーザー照射にも問題なく耐えることができる。
【００２３】
また、本発明は、前記基材が光吸収層を兼ねていることを特徴とする。
【００２４】
これにより、基材が光吸収層を兼ねることで、画像記録媒体の構成を簡略化でき、製造工程の削減による低コスト化が実現できる。
【００２５】
また、本発明は、トナー画像が形成された画像記録媒体を搬送する搬送手段と、前記画像記録媒体にレーザーを照射するレーザー照射手段と、該レーザー照射手段によって加熱された表面を前記画像記録媒体のカラートナー画像面側に接触させることで、トナー画像を加熱溶融させて画像記録媒体から除去する除去手段と、各部を制御する制御手段とを備えたことを特徴とする画像記録媒体の再利用装置であって、前記レーザー照射手段は、画像記録媒体にトナー画像を定着させる定着用熱源を兼用しており、前記画像記録媒体の表面近傍には光を吸収して発熱する光吸収層が設けられていることを特徴とする。ここで、前記トナー画像がカラートナーで構成されていてもよい。
【００２６】
これにより、画像記録媒体の再利用装置において、レーザー照射手段を定着用熱源として兼用した場合の、トナーがカラートナーであったり、画像パターンがハーフトーン画像の際の光が吸収されにくく定着しづらいといった課題に対し、画像記録媒体表面にレーザー光を吸収し熱に変換する光吸収層を設けることで、トナーの種類（色）や画像パターン（濃度）に依らず、均一な定着性を確保することができる。
【００２７】
また、本発明は、前記レーザー照射手段から照射されるレーザー光の光路を変更するための光路変更手段を備え、普通紙からなる画像記録媒体上のトナー画像を定着する場合、前記光路変更手段により、前記レーザー光を前記除去手段に照射し発熱させると共に、前記除去手段を画像記録媒体のトナー画像面側に当接し、前記除去手段の熱と圧力を用いて定着を行うことを特徴とする。
【００２８】
これにより、画像記録媒体への画像記録装置と再利用装置とを容易に共用化することができるし、画像記録媒体として光吸収層が設けられた特殊紙のみならず、普通紙に対しても定着を行うことができる。
【００２９】
また、本発明は、前記除去手段の表面が、フッ素ゴムからなることを特徴とする。
【００３０】
これにより、フッ素ゴムであればレーザー光を吸収しやすく、また、画像記録媒体表面のフッ素樹脂よりも離型性に劣るので、容易にトナー画像を除去することができる。
【００３１】
また、本発明は、前記除去手段の表面にアミノ変性シリコンオイルを塗布する塗布手段を備えたことを特徴とする。
【００３２】
これにより、除去手段の表面がフッ素ゴムの場合、トナーに対する離型性に劣るので、請求項１０のように普通紙への定着を行おうとした場合、トナーが除去手段にオフセットしてしまう。そこで、フッ素ゴムとの親和性の高いアミノ変性シリコンオイルをフッ素ゴム表面に塗布することで、オフセットを防止することができる。
【００３３】
また、本発明は、前記塗布手段が、前記除去手段で除去したトナーのクリーニング手段を兼用していることを特徴とする。
【００３４】
これにより、別途、塗布手段を設ける必要がないため、再利用装置の小型化、低コスト化を実現することができる。
【００３５】
また、本発明は、前記制御手段が、トナー画像定着を定着させる画像形成時とトナー画像を除去する画像消去時とで、前記画像記録媒体の搬送速度を変更することを特徴とする。
【００３６】
また、本発明は、前記制御手段が、画像消去時の前記画像記録媒体の搬送速度を画像形成時の搬送速度よりも遅くすることを特徴としてもよいし、トナー画像定着を定着させる画像形成時とトナー画像を除去する画像消去時とで、前記レーザー照射手段の出力を変更することを特徴としてもよいし、画像消去時の前記レーザー照射手段の出力を画像形成時の出力よりも大きくすることを特徴としてもよい。
【００３７】
画像形成時（トナー画像定着時）と画像消去時（トナー画像除去時）とでは、必要な熱エネルギーが異なる場合がある。特に、画像形成時はレーザー光を直接トナー画像に照射するのに対して、画像消去時は間接的にレーザー光を利用する（反射ミラーでレーザー光を反射させた後、除去手段で吸収させて発熱させる）ことから、画像消去時は効率が低下する。そこで、画像消去時には、用紙搬送速度を遅くしたり、レーザー出力を大きくすることで、必要なエネルギーを確保することができる。
【００３８】
また、本発明は、前記制御手段が、画像情報に基づいて前記レーザー光を選択的に照射することを特徴とする。
【００３９】
これにより、画像情報に基づいてトナー像が形成された部分のみレーザー光を照射するため、レーザー照射手段の自己発熱を必要最小限に抑制することが可能となり、熱効率が向上する。
【００４０】
また、本発明は、前記制御手段が、前記搬送手段の温度情報に基づいてレーザー出力或いは用紙搬送速度を制御することを特徴とする。
【００４１】
これにより、搬送手段（搬送ベルト）の温度を検出し、その温度情報をフィードバックしてレーザー出力や用紙搬送速度を制御することで、より最適な画像形成（トナー定着）を行うことができる。
【００４２】
また、本発明は、前記制御手段が、前記除去手段の温度情報に基づいて前記レーザー出力或いは用紙搬送速度を制御することを特徴とする。
【００４３】
これにより、除去手段（トナー除去ローラ）の温度を検出し、その温度情報をフィードバックしてレーザー出力や用紙搬送速度を制御することで、より最適な画像消去（トナー除去）を行うことができる。
【００４４】
また、本発明は、前記レーザー照射手段は、複数の半導体レーザー素子を画像記録媒体の搬送方向と直交する方向にアレイ状に並べたレーザーアレイからなることを特徴とする。
【００４５】
単一光源のレーザー照射手段では、特に高速の画像形成装置に適用しようとした場合、ハイパワーで高コストのレーザー（例えばＣＯ２レーザーやＹＡＧレーザー等）が必要となり、装置も大型化、複雑化してしまう。また、レーザー光をトナー画像に対し正確に照射するのが困難となる。一方、本構成であれば、半導体レーザー素子のコストは桁違いに安く、複数個をアレイ状に形成したとしても、単一のレーザー光源に比べて、低コスト化を実現できる。また、レーザー光を集光させる必要もないため、光学系が廃止でき、光学系でのエネルギー損失を無くすことができる。更に大きなサイズのヒートシンクを取り付けることができ、レーザー素子の冷却性能を向上することができる。
【００４６】
また、本発明は、表面に静電潜像が形成される像担持体と、像担持体表面を帯電させる帯電装置と、像担持体表面に静電潜像を形成する露光装置と、像担持体表面の静電潜像にトナーを供給してトナー像を形成する現像装置と、像担持体表面のトナー像を画像記録媒体に転写する転写装置と、前記転写されたトナー像を画像記録媒体に定着させる定着装置とを備え、電子写真方式によりトナーを用いて画像を形成する画像形成装置において、前記画像記録媒体の再利用装置を備えたことを特徴とする。
【００４７】
また、本発明は、画像形成時に、前記除去手段をレーザーが照射されない状態で前記画像記録媒体のトナー画像面に当接することを特徴とする。
【００４８】
レーザー定着などの非接触定着方式の場合、定着後のトナー画像が平滑にならないため、光沢が得られない（画像がマット調になりすぎる）といった課題がある。そこで、画像形成時においても除去手段を定着直後のトナー画像に当接させることで、トナー画像面が平滑となり光沢性を付与することができる。
【００４９】
また、本発明は、前記画像形成装置が両面印字機能を備えており、１面目にトナー画像除去を行い、２面目に画像形成を行うことを特徴とする。
【００５０】
これにより、１回の通紙で画像消去と画像形成を同時に行うことができる。
【００５１】
また、本発明は、未定着或いは定着されたトナー画像が形成された前記画像記録媒体に対し、トナー画像定着を定着させる画像形成時とトナー画像を除去する画像消去時には、前記画像記録媒体に前記レーザー光を直接照射し、前記画像記録媒体表面を発熱させることで、その上に形成された未定着トナー画像を加熱溶融し、前記画像記録媒体への定着を行い、トナー画像の消去時には、前記レーザー光を前記除去手段に照射することで前記除去手段表面を加熱し、加熱された前記除去手段表面を前記画像記録媒体の定着されたトナー画像に接触させることで、トナー画像を加熱溶融して前記画像記録媒体から除去することを特徴とする画像記録媒体の再利用方法である。
【発明の効果】
【００５２】
本発明によれば、画像記録媒体表面に光を吸収し熱に変換する光吸収層を設けることで、トナーの種類（色）や画像パターン（濃度）に依らず、均一な定着性を確保することができ、また、画像記録媒体からトナーを容易に除去することができる。
【図面の簡単な説明】
【００５３】
【図１】カラー複合機の概略構成図である。
【図２】繰り返し利用可能な特殊紙の説明図である。
【図３】定着兼再利用装置の特殊紙への画像形成時（トナー画像定着時）の状態を示す構成説明図である。
【図４】定着兼再利用装置のレーザーヘッドを正面から見た構成説明図である。
【図５】定着兼再利用装置のレーザーヘッドを側面から見た構成説明図である。
【図６】定着兼再利用装置の特殊紙の画像消去時（トナー画像除去時）の状態を示す構成説明図である。
【図７】定着兼再利用装置の従来の再利用できない普通紙への画像消去時（トナー画像除去時）の状態を示す構成説明図である。
【図８】定着兼再利用装置の制御システムのブロック図である。
【図９】定着兼再利用装置の制御手順を示すフローチャートである。
【発明を実施するための形態】
【００５４】
本発明の実施の一形態について図１ないし図７に基づいて説明すれば、以下の通りである。尚、本実施の形態では、本発明の画像形成装置をカラー複合機に適用した場合であり、図１はカラー複合機の概略構成図、図２は繰り返し利用可能な記録紙（以下、特殊紙と記す）の説明図、図３は定着兼再利用装置の特殊紙への画像形成時（トナー画像定着時）の状態を示す構成説明図、図４は定着兼再利用装置のレーザーヘッドを正面から見た構成説明図、図５は定着兼再利用装置のレーザーヘッドを側面から見た構成説明図、図６は同じく定着兼再利用装置の特殊紙の画像消去時（トナー画像除去時）の状態を示す構成説明図、図７は同じく定着兼再利用装置の従来の再利用できない記録紙（以下、普通紙と記す）への画像消去時（トナー画像除去時）の状態を示す構成説明図である。
【００５５】
本実施の形態に係るカラー複合機１００は、図１に示すように、光学系ユニットＥ、４組の可視画像形成ユニットｐａ、ｐｂ、ｐｃ、ｐｄ、中間転写ベルト１１、二次転写ユニット１４、定着兼再利用ユニット１５、内部給紙ユニット１６及び手差し給紙ユニット１７とを備えている。
【００５６】
可視画像形成ユニットｐａはトナー像担持体となる感光体１０１ａの周囲に、帯電ユニット１０３ａ、現像ユニット１０２ａ、クリーニングユニット１０４ａが配置されている。一次転写ユニット１３ａは中間転写ベルト１１を介して配置している。他の３組の可視画像形成ユニットｐｂ、ｐｃ、ｐｄは可視画像形成ユニットｐａと同様の構成であり、各ユニットの現像ユニットにはイエロー（Ｙ）、マゼンタ（Ｍ）、シアン（Ｃ）、ブラック（Ｂ）の各色トナーが収容されている。
【００５７】
光学系ユニットＥは光源４からのデータを４組の感光体１０１ａ、１０１ｂ、１０１ｃ、１０１ｄに届くように配置されている。中間転写ベルト１１はテンションローラ１１ａ、１１ｂによりたわむことなく配置され、テンションローラ１１ｂ側に廃トナーＢＯＸ１２、テンションローラ１１ａ側に二次転写ユニット１４が当接して配置されている。定着兼再利用ユニット１５は二次転写ユニット１４の下流に配置されている。
【００５８】
記録紙（画像記録媒体）への画像形成の工程は以下のようになる。感光体ドラム１０１ａ表面を帯電ユニット１０３ａで一様に帯電した後、光学系ユニットＥにより感光体ドラム１０１ａ表面を画像情報に応じてレーザー露光し静電潜像を形成する。帯電ユニット１０３ａとしては、感光体ドラム１０１ａ表面を一様に、またオゾンを極力発生させることなく帯電するために、帯電ローラ方式を採用している。その後現像ユニット１０２ａにより感光体ドラム１０１ａ上の静電潜像に対しトナー像を現像し、この顕像化されたトナー画像をトナーとは逆極性のバイアス電圧が印加された一次転写ユニット１３ａにより中間転写ベルト１１上に転写する。他の３組の可視画像形成ユニットｐｂ、ｐｃ、ｐｄも同様に動作し順次中間転写ベルト１１上に転写するようになっている。中間転写ベルト１１上のトナー画像は二次転写ユニット１４まで搬送され、別途、内部給紙ユニット１６の給紙ローラ１６ａまたは手差し給紙ユニット１７の給紙ローラ１７ａから給紙された記録紙（画像記録媒体）に、トナーとは逆極性のバイアス電圧が印加されて転写される。記録紙（画像記録媒体）上のトナー画像は定着兼再利用ユニット１５に搬送され、記録紙（画像記録媒体）が普通紙の場合は、レーザー照射により加熱された定着兼除去ローラにより加熱されて記録紙（画像記録媒体）上に融着し、外部へ排出される。また、記録紙（画像記録媒体）が特殊紙の場合には、記録紙表面が直接レーザー照射されて発熱することで記録紙（画像記録媒体）上に融着し、外部へ排出される（詳細については後述）。
【００５９】
次に特殊紙の画像消去の工程について、以下に説明する。画像消去を行う際は、可視画像形成ユニットｐａ、ｐｂ、ｐｃ、ｐｄは動作させない状態で、内部給紙ユニット１６の給紙ローラ１６ａまたは手差し給紙ユニット１７の給紙ローラ１７ａから、画像が形成された特殊紙を給紙し、二次転写ユニット１４まで搬送する。二次転写ユニット１４ではバイアス電圧が印加されない状態で、記録紙の定着兼再利用ユニット１５への搬送のみが行われ、定着兼再利用ユニット１５により記録紙上のトナーが除去され、外部へ排出される（詳細については後述）。
【００６０】
次に、本発明の特殊紙について、図２を用いて詳細に説明する。
本発明の特殊紙は、図２（ａ）に示すように、耐熱性樹脂シート２１の両面に離型層兼光吸収層２２をコーティングにより設けた３層構成となっている。離型層兼光吸収層２２は、画像形成時にはレーザー光を吸収して発熱することで特殊紙表面に形成されたトナー画像を溶融定着し、また、画像除去時には適度な離型性を確保することで再溶融したトナー画像を容易に除去できるようにするためのものである。従って、離型層兼光吸収層２２としては、ＰＦＡやＰＴＦＥ等のフッ素樹脂に、フタロシアニン、ポリメチン、シアニン、ニッケル錯体等の赤外線吸収剤を１重量部から５重量部内添したものを用い、また層厚としては１０〜３０（μｍ）としている。耐熱性樹脂シート２１は、レーザー光で発熱した離型層兼光吸収層２２の温度（１３０〜２００（℃））に耐える必要があることから、例えば耐熱温度が２５０（℃）のアリルエステル硬化性樹脂などを用いる。層厚としては８０〜１００（μｍ）としている。
【００６１】
また特殊紙の構成としては、図２（ｂ）に示すように、光吸収層２３と離型層２４を分離した５層構成としてもよい。このように構成することで、光吸収層２３と離型層２４が機能分離されるので、光吸収層２３は光吸収性（発熱性）、離型層２４は離型性に特化させることができ、それぞれ最大の効果を発揮させることができる。この場合、離型層２４としてはレーザー光を透過させる必要があることから、透明の材料で構成する必要がある。このような透明で離型性に優れる材料としては、ＰＦＡやＰＴＦＥ等のフッ素樹脂が適しており、層厚としては１０〜３０（μｍ）としている。光吸収層２３は、アリルエステル硬化性樹脂などの耐熱性樹脂に、フタロシアニン、ポリメチン、シアニン、ニッケル錯体等の赤外線吸収剤を１重量部から５重量部内添したものを用い、層厚としては１０〜３０（μｍ）としている。
【００６２】
更に、図２（ｃ）に示すように、耐熱樹脂シートに赤外線吸収材を内添させることで、耐熱樹脂シートと光吸収層とを兼用させてもよい（光吸収層兼耐熱樹脂シート２５）。こうすることで、特殊紙の構成を簡略化でき、製造工程の削減による低コスト化が実現できる。
【００６３】
次に、本発明の定着兼再利用装置の構成について、図３から図７を用いて詳細に説明する。
【００６４】
図３に示すように、定着兼再利用装置１５はレーザーヘッド（レーザー照射手段）Ｌ１、用紙搬送装置（用紙搬送手段）Ｌ２、定着兼トナー除去装置Ｌ３、クリーニング兼離型剤塗布装置Ｌ４を備えており、画像記録媒体の表面に形成されたトナー画像をレーザーの熱によって画像記録媒体上に定着或いは画像記録媒体上から除去する。
【００６５】
未定着のトナー画像は、たとえば、非磁性トナーを含む非磁性１成分現像剤、非磁性トナーおよびキャリアを含む非磁性２成分現像剤、磁性トナーを含む磁性現像剤などの現像剤に含まれるトナーで形成される。
【００６６】
用紙搬送装置Ｌ２は、搬送ベルト３１、駆動ローラ３２、従動ローラ３３、吸着チャージャー３４、分離チャージャー３５、除電チャージャー３６、分離爪３７、駆動モーター（図示せず）、温度センサＣを備えている。搬送ベルト３１は直径６０（ｍｍ）、ベルト厚７５（μｍ）、体積抵抗率１０１６（Ω・ｃｍ）のポリイミド樹脂からなり、駆動ローラ３２と従動ローラ３３に張架されている。駆動ローラ３２は駆動モーター（図示せず）により、任意の速度で回転駆動するよう構成されており、搬送ベルト３１は駆動ローラ３２の回転により矢印方向に任意の速度Ｖｐで回転する。また、搬送ベルト３１の周囲には吸着チャージャー３４、分離チャージャー３５、除電チャージャー３６、分離爪３７が設けられている。
【００６７】
このような装置において、二次転写ユニット１４から搬送されてきた未定着トナー像が形成された用紙（画像記録媒体）は従動ローラ３３上の搬送ベルト３１と吸着チャージャー３４の間に搬送される。従動ローラ３３は導電性材料で構成され接地されており、吸着チャージャー３４によって用紙（画像記録媒体）に電荷を与えることで用紙（画像記録媒体）と搬送ベルト３１はそれぞれ誘電分極を起こし、用紙（画像記録媒体）は搬送ベルト３１上に静電吸着する。用紙（画像記録媒体）は駆動ローラ３２の駆動によってレーザー照射部３８に搬送される。レーザー照射部３８まで搬送された用紙（画像記録媒体）上の未定着トナー像にはレーザーヘッドＬ１によって画像情報に応じてレーザーが照射され、定着が行われる。
【００６８】
レーザー照射部３８でトナー画像の定着が終了した用紙（画像記録媒体）は搬送ベルト３１に静電吸着された状態で分離チャージャー３５と駆動ローラ３２との間に搬送される。駆動ローラ３２は導電性材料で構成され接地されており、分離チャージャー３５によって用紙（画像記録媒体）上を除電してやることで搬送ベルト３１と用紙（画像記録媒体）との間の静電吸着力が弱まる。その状態で搬送ベルト３１は駆動ローラ３２に沿って回動し大きな曲率を持つため、用紙（画像記録媒体）の先端部は搬送ベルト３１から浮き、さらに分離爪３７にて用紙（画像記録媒体）は完全に搬送ベルト３１から分離する。用紙（画像記録媒体）が剥離された搬送ベルト３１は、除電チャージャー３６により外面および内面が除電された後、再び用紙（画像記録媒体）の吸着位置へ駆動される。
【００６９】
更にレーザー照射部３８の下流側で搬送ベルト３１の周面には、当該周面の温度を検出するための非接触サーミスタからなる温度センサＣが配置されている。尚、この温度センサＣは、定着兼再利用装置１５の長手方向の位置に関しては中央部に配置されている。そして、温度センサＣにより検出された温度データに基づいて、制御装置がレーザーヘッドＬ１のレーザー出力若しくは搬送装置Ｌ２の搬送速度を制御する。
【００７０】
レーザーヘッドＬ１は画像形成時にはレーザー照射部３８において未定着トナー像にレーザー光を照射しトナーを用紙（画像記録媒体）に定着させ、また画像消去時にはトナー除去ローラ４２にレーザー光を照射し、トナー除去ローラ表面を発熱させる目的のものである。レーザーヘッドＬ１は図３、図４、図５に示すように、複数の半導体レーザー素子６１が長手方向に一列状に配列した半導体レーザーアレイ６０、放熱板（ヒートシンク）３９、温度センサＡ及び反射ミラー４０を備えている。なお、本実施例では、半導体レーザーアレイ６０は、波長７８０（ｎｍ）で、１個の定格出力が１５０（ｍＷ）のレーザー素子６１を１，０００個配列したものを用いている。この時、各レーザー素子６１の配列ピッチｐは０．３（ｍｍ）でレーザースポット径ｄも０．３（ｍｍ）となる。またヒートシンク３９としては、アルミニウム合金製でベースサイズが３０（ｍｍ）×３０（ｍｍ）、高さ２０（ｍｍ）、熱抵抗１．６（℃／Ｗ）のヒートシンク（（株）アルファ社製  ＵＢ３０−２７）を計１０個一列に並べたもの（トータルの熱抵抗０．１６（℃／Ｗ））を用いている。
【００７１】
更に、レーザーヘッドＬ１の詳細構成について図３、図４、図５を用いて説明する。
入力された信号によりレーザー光出力を可変したり、受光素子であるモニター用フォトダイオード６２からの信号によりレーザー出力を一定に保つための制御回路（図示せず）とフォトダイオード６２とがモノシリックに形成されたシリコン基板６３に、半導体レーザー素子（チップ）６１をマウントし、レーザー素子６１とシリコン基板６３との間にワイヤーボンド線６４等で電気的接続を行う。
【００７２】
次に、このレーザー素子付シリコン基板６３をセラミック基板６６上に複数個取り付け、ワイヤーボンディング等によりセラミック基板６６の表面電極６５とシリコン基板６３上の電極との間に電気的接続を行う。最後に、この複数個のレーザー装置が並んだセラミック基板６６に、ヒートシンク３９と、複数個の集光光学系としての複数の凸レンズ６８とが保持されたレンズホルダー６７を取り付ける。これにより、本実施例に係るレーザーヘッドＬ１が製造される。
【００７３】
このレーザー照射手段における複数の凸レンズ６８とレンズホルダー６７とは、各凸レンズ６８を樹脂ホルダー等に組み込んだものよりも、樹脂によるレンズーレンズホルダー−一体成形品や、平板ガラスをレンズ状にイオン交換して製造される平板マイクロレンズなどのレンズアレイである方が、価格や工程、組立精度に関して有利である。また、集光光学系を無くし、平行光の状態でトナー画像にレーザーを照射することも可能である。
【００７４】
更にセラミック基板上には、レーザーヘッドＬ１の温度を監視するためのサーミスタからなる温度センサＡが取り付けられている。尚、この温度センサＡは、定着兼再利用装置１５の長手方向の位置に関しては中央部に配置されている。そして、温度センサＡにより検出された温度データが、半導体レーザー素子６１の耐熱温度（５０（℃））に近づくと、画像形成動作或いは画像消去動作を一旦停止する。
【００７５】
更にレーザーヘッドＬ１と搬送ベルトの間には、反射ミラー４０が配置されており、駆動機構（図示せず）によって、回転支点を中心に矢印方向に移動可能に構成されている。そして、特殊紙の画像消去時及び普通紙の画像形成時には、図６、図７に示すように、反射ミラー４０は駆動機構によって、レーザー光４１を定着兼除去ローラ４２の方向に反射する位置に移動配置される。
【００７６】
定着兼トナー除去装置Ｌ３は、定着兼除去ローラ４２と、バックアップローラ４３と、定着兼除去ローラ４２のバックアップローラ４３に対する荷重を解除するための自動圧力解除機構と、定着兼除去ローラ４２表面の温度を測定するための温度センサＢとを備えている。定着兼除去ローラ４２およびバックアップローラ４３は、自動圧力解除機構により圧力が解除されていない状態では、搬送ベルト３１を介して所定の荷重（例えば、本実施形態では３６０（Ｎ））で互いに圧接されて、両ローラ間にニップ部５３（定着兼除去ローラ４２とバックアップローラ４３とが互いに当接する部分）を形成している。なお、本実施形態ではニップ部５３の幅（ニップ部の記録紙搬送方向の幅）を４（ｍｍ）としている。このニップ部５３に、特殊紙２０の画像除去時には定着トナー画像が形成された特殊紙２０を搬送し、ニップ部５３を通過させることで、特殊紙２０からトナー画像が除去されるようになっている。また、普通紙２７の画像形成時には、未定着トナー画像が形成された普通紙２７を搬送し、ニップ部５３を通過させることで、普通紙２７にトナー画像を定着するようになっている。
【００７７】
定着兼除去ローラ４２はレーザー照射により所定の温度に加熱されて、ニップ部５３を通過する定着されたトナー画像が形成された特殊紙２０からトナー画像を除去したり、未定着トナー画像が形成された普通紙２７のトナー画像を定着したりするためのものである。定着兼除去ローラ４２は直径３２（ｍｍ）でその内側から順に芯金、弾性層、光吸収層が形成された３層構造からなり、芯金には、たとえば、鉄、ステンレス鋼、アルミニウム、銅等の金属あるいはそれらの合金等が用いられる。また、弾性層にはシリコンゴム等の耐熱性を有するゴム材料、光吸収層には、ポリイミドやフッ素ゴム等の耐熱性と光吸収性を有する材料が適している。なお本実施形態では、芯金に直径２８（ｍｍ）、肉厚１（ｍｍ）のステンレス鋼、弾性層に厚さ２（ｍｍ）のシリコンゴムを用い、シリコンゴムの表面に光吸収層として厚さ３０（μｍ）のフッ素ゴムをコーティングしている。
【００７８】
バックアップローラ４３は直径２０（ｍｍ）で、その内側から順に芯金、弾性層が形成された２層構造からなり、芯金にはたとえば、鉄、ステンレス鋼、アルミニウム、銅等の金属あるいはそれらの合金等が、また弾性層にはシリコンゴム等の耐熱性を有するゴム材料が用いられる。尚、本実施形態では、芯金に直径１４（ｍｍ）のステンレス鋼、弾性層に厚さ３（ｍｍ）のシリコンゴムを用いている。
【００７９】
そして、定着兼除去ローラ４２にはバックアップローラ４３に対する荷重を自動的に付与するための自動圧力付与機構が設けられている。具体的には、図３に示すように、定着兼除去ローラ４２は中心軸の周りに回動する加圧レバー４４に取り付けられ、定着兼除去ローラ４２がカム４５の回転による位相変化と加圧ばね４６によって矢印Ｄの方向に移動可能に作動するよう構成されている。
【００８０】
クリーニング兼離型剤塗布装置Ｌ４は、特殊紙の画像除去時には定着兼除去ローラ４２によって除去されたトナーを定着兼除去ローラ４２からクリーニングし、また普通紙の画像形成時には離型剤を定着兼除去ローラ４２に塗布するためのクリーニングウエブ４７と、供給ローラ４８と、圧接ローラ４９と、テンションローラ５０と、巻取ローラ５１とを備えている。供給ローラ４８は、未使用のクリーニングウエブ４７が巻かれるように構成される。巻取ローラ５１は、供給ローラ４８から送り出されたクリーニングウエブ４７を巻き取るように構成される。この実施形態では、巻取ローラ５１は普通紙２７の画像形成時には１枚当たり０．５（ｍｍ）、特殊紙２０の画像消去時には１枚当たり１（ｍｍ）の長さだけクリーニングウエブ４７を巻き取るように構成される。圧接ローラ４９は、クリーニングウエブ４７を定着兼除去ローラ４２に押し当てるように構成される。テンションローラ５０は、クリーニングウエブ４７にテンションを加えるように構成される。クリーニングウエブ４７は、厚さ４０（μｍ）でポリアミドイミド繊維とポリエステル繊維を重量比で５０（ｗｔ％）ずつ絡合した水流絡合不織布であり、離型剤として粘度１０，０００（ｃｓ）のアミノ変性シリコンオイルが６（ｇ／ｍ２）含浸された構成である。
【００８１】
更に定着兼除去ローラ４２の周面には、当該周面の温度を検出するための非接触サーミスタからなる温度センサＢが配置されている。尚、この温度センサＢは、定着兼再利用装置１５の長手方向の位置に関しては中央部に配置されている。そして、温度センサＢにより検出された温度データに基づいて、制御装置がレーザーヘッドＬ１のレーザー出力若しくは搬送装置Ｌ２の搬送速度を制御する。
【００８２】
次に、本発明の定着兼再利用装置１５による特殊紙２０の定着動作について、図３を用いて具体的に説明する。本発明の定着兼再利用装置の特殊紙の定着動作は下記に記載した６つのステップからなる。
【００８３】
（ステップ１）自動圧力付与機構により、定着兼除去ローラ４２のバックアップローラ４３に対する圧力が解除され、定着兼除去ローラ４２が搬送ベルト３１から離間される。
（ステップ２）反射ミラー４０がレーザー光４１を遮らない（反射しない）位置に移動配置される。
（ステップ３）用紙搬送装置Ｌ２により搬送ベルト３１上のレーザー照射部３８に、原稿印字率によって決定された定着速度（用紙搬送速度）および複写速度で未定着トナー画像を担持した特殊紙２０が搬送される。
【００８４】
（ステップ４）トナー画像がレーザー照射部３８に到達するタイミングに合わせて、レーザーヘッドＬ１からレーザー光４１が照射される。
（ステップ５）レーザー光４１が特殊紙２０の光吸収層で吸収され熱に変換され、未定着トナー画像が溶融し、画像記録媒体への定着が行われる。
（ステップ６）定着後の画像の光沢性を高める必要がある場合は、予め定着兼除去ローラ４２をバックアップローラ４３に圧接させておく。こうすることで、定着後のトナー画像面に定着兼除去ローラ４２の表面の平滑性が転写され、定着後の画像の光沢性を向上することができる。
【００８５】
次に、本発明の定着兼再利用装置による特殊紙の画像消去動作について、図６を用いて具体的に説明する。本発明の定着兼再利用装置の特殊紙の画像消去動作は下記に記載した６つのステップからなる。
【００８６】
（ステップ１）自動圧力付与機構により、定着兼除去ローラ４２が搬送ベルト３１を介してバックアップローラ４３に圧接され、ニップ部５３が形成される。
（ステップ２）反射ミラー４０がレーザー光４１を定着兼除去ローラ４２の方向に反射する位置に移動配置される。
（ステップ３）用紙搬送装置Ｌ２により搬送ベルト３１上のニップ部５３に、所定の定着速度（用紙搬送速度）および複写速度で定着済みのトナー画像を担持した特殊紙２０が搬送される。
【００８７】
（ステップ４）レーザーヘッドＬ１から所定の出力でレーザー光４１が照射され、反射ミラー４０で反射されて定着兼除去ローラ４２の表面に照射される。そして、定着兼除去ローラ４２の表面の光吸収層で吸収され熱に変換され、定着兼除去ローラ４２の表面が発熱する。
（ステップ５）ニップ部５３にて、定着兼除去ローラ４２によって特殊紙上に定着したトナー像が再溶融し、特殊紙２０の表面（フッ素樹脂）に比べて定着兼除去ローラ４２の表面（フッ素ゴム）の離型性が低いために、再溶融したトナーが定着兼除去ローラ４２に付着回収される。
（ステップ６）定着兼除去ローラ４２によって回収されたトナーは、更に下流側に当接され、所定の速度で巻き取られていくクリーニングウエブ４７により、定着兼除去ローラ４２上からクリーニングされる。
【００８８】
次に、本発明の定着兼再利用装置による普通紙の画像形成動作について、図７用いて具体的に説明する。本発明の定着兼再利用装置の普通紙の画像形成動作は下記に記載した６つのステップからなる。
【００８９】
（ステップ１）自動圧力付与機構により、定着兼除去ローラ４２が搬送ベルト３１を介してバックアップローラ４３に圧接され、ニップ部５３が形成される。
（ステップ２）反射ミラー４０がレーザー光４１を定着兼除去ローラ４２の方向に反射する位置に移動配置される。
（ステップ３）用紙搬送装置Ｌ２により搬送ベルト３１上のニップ部５３に、所定の定着速度（用紙搬送速度）および複写速度で未定着のトナー画像を担持した普通紙２７が搬送される。
【００９０】
（ステップ４）レーザーヘッドＬ１から所定の出力でレーザー光４１が照射され、反射ミラー４０で反射されて定着兼除去ローラ４２の表面に照射される。そして、定着兼除去ローラ４２の表面の光吸収層で吸収され熱に変換され、定着兼除去ローラ４２の表面が発熱する。
（ステップ５）定着兼除去ローラ４２の表面に、圧接ローラ４９によって圧接され所定の速度で巻き取られていくクリーニングウエブ４７により、離型剤（アミノ変性シリコンオイル）が塗布される。アミノ変性シリコンオイルは、定着兼除去ローラ４２の表面のフッ素ゴム（光吸収層）との親和性に優れるため、所定の量が均一に定着兼除去ローラ４２上に塗布される。
（ステップ６）ニップ部５３にて、定着兼除去ローラ４２によって普通紙２７上の未定着トナー像が熱及び圧力によって溶融し、普通紙２７上への定着が行われる。このとき、定着兼除去ローラ４２の表面には離型剤であるアミノ変性シリコンオイルが均一に塗布されており普通紙２７に比べて定着兼除去ローラ４２の表面（フッ素ゴム）の離型性が高いために、トナーはほとんど定着兼除去ローラ４２にオフセットせずに普通紙２７上に定着する。また、目に見えない程度の微小量のトナーが定着兼除去ローラ４２にオフセット（マイクロオフセット）したとしても、クリーニングローラによってクリーニングされるため、問題ない。
【００９１】
次に本発明の定着兼再利用装置の搬送速度及びレーザー出力の制御方法について、図８及び図９を用いて以下に説明する。尚、図８は定着兼再利用装置１５の制御システムのブロック図、図９は定着兼再利用装置１５の制御手順を示すフローチャートである。
【００９２】
図８に示すように、この制御システムは、入力された画像情報を検出する画像情報検出手段７１、図３に示した定着兼再利用装置１５、これらを制御する制御装置７２からなる構成である。定着兼再利用装置１５は、レーザーヘッドＬ１、用紙搬送装置Ｌ２、トナー除去装置Ｌ３、クリーニング装置Ｌ４、温度検出手段（温度センサＡ，Ｂ，Ｃ）からなる構成である。
【００９３】
最初に、制御装置７２は、画像情報検出手段７１により検出された画像情報に基づいて、これから実行されるジョブが（ａ）特殊紙の画像形成、（ｂ）特殊紙の画像消去、（ｃ）普通紙の画像形成のいずれであるかであるかを判別する（ステップＳ１）。
【００９４】
ジョブが（ａ）の場合、制御装置７２は搬送装置Ｌ２の搬送速度を２２０（ｍｍ／ｓ）、レーザー出力を５０（Ｗ）に設定する（ステップＳ２、Ｓ３）。
【００９５】
そして、レーザーを搬送ベルト３１に照射して加熱し（ステップＳ４）、搬送ベルト３１の表面温度を温度センサＣで測定し、制御装置７２は、温度が１３０（℃）以上か１３０（℃）未満かを判別する（ステップＳ５）。１３０（℃）以上であれば、トナーの融点（ここでは１３０（℃））以上であり、十分にトナーを定着できることから、そのまま画像形成に移行する（ステップＳ９）。一方、１３０（℃）未満であれば、制御装置７２はレーザー出力が１５０（Ｗ）未満か、１５０（Ｗ）に達したかを判別する（ステップＳ６）。レーザー出力が１５０（Ｗ）未満の場合は、レーザー出力を５（Ｗ）ずつＵＰし（ステップＳ７）、ステップＳ４に戻る。レーザーの最大定格出力は１５０（Ｗ）なので、レーザー出力が１５０（Ｗ）に達しても１３０（℃）以上の条件をクリアできない場合は、搬送速度を１０（ｍｍ／ｓｅｃ）ずつ減速し（ステップＳ８）、ステップＳ４に戻る。そして、搬送ベルト３１の表面温度が１３０（℃）以上になった時点で画像形成に移行する（ステップＳ９）。尚、画像形成時においては、画像情報検出手段７１より、画像情報を検出し、この画像情報に基づいて画像の存在する部分にのみレーザー光を選択的に照射する。これにより、レーザーヘッドＬ１の自己発熱を必要最小限に抑制することが可能となり、熱効率が向上する。
【００９６】
一方、ジョブが（ｂ）か（ｃ）の場合、制御装置７２は用紙搬送装置Ｌ２の搬送速度を画像形成よりも遅い５５（ｍｍ／ｓｅｃ）、またレーザー出力を画像形成よりも高い１００（Ｗ）に設定する（ステップＳ１０、Ｓ１１）。この理由としては、（ａ）の場合はレーザー光を直接トナー画像に照射するのに対して、（ｂ）や（ｃ）の場合は間接的にレーザー光を利用する（反射ミラー４０でレーザー光を反射させた後、定着兼除去ローラ４２で吸収させて発熱させる）ことから、画像形成時に比べ効率が低下するためである。そこで、（ａ）、（ｂ）時には、用紙搬送速度を遅くしたり、レーザー出力を大きくすることで、必要なエネルギーを確保している。
【００９７】
搬送速度とレーザー出力を設定した後、レーザーを定着兼除去ローラ４２に照射して加熱し（ステップＳ１２）、定着兼除去ローラ４２の表面温度を温度センサＢで測定し、温度が１９０（℃）以上か１９０（℃）未満かを判別する（ステップＳ１３）。１９０（℃）以上であれば、十分にトナー画像を溶融して画像記録媒体から除去できることから、そのまま画像消去に移行する（ステップＳ１７）。一方、１９０（℃）未満であれば、制御装置７２はレーザー出力が１５０（Ｗ）未満か、１５０（Ｗ）に達したかを判別する（ステップＳ１４）。レーザー出力が１５０（Ｗ）未満の場合、レーザー出力を５（Ｗ）ずつＵＰし（ステップＳ１５）、ステップＳ１２に戻る。レーザーの最大定格出力は１５０（Ｗ）なので、レーザー出力が１５０（Ｗ）に達しても１９０（℃）以上の条件をクリアできない場合は、搬送速度を１０（ｍｍ／ｓ）ずつ減速し（ステップＳ１６）、ステップＳ１２に戻る。そして、１９０（℃）以上になった時点で画像消去に移行する（ステップＳ１７）。尚、（ｂ）、（ｃ）時においては、画像記録媒体の画像が形成されている領域のみ加熱することが困難であることから、（ａ）時とは異なり、レーザー光は全面に照射する。
【００９８】
また、既に画像形成された特殊紙に新たに画像形成を行う場合は、画像形成装置の両面印字機能を利用し、１面目で画像消去、２面目で画像形成を行うことも可能である。こうすることで、１回のジョブ（通紙）で画像消去と画像形成を同時に行うことができる。
尚、本実施の形態では、イエロー（Ｙ）、マゼンタ（Ｍ）、シアン（Ｃ）、ブラック（Ｂ）の４色のトナーの場合を例示したが、特にこれに限定されず、ライトシアン（ＬＣ）、ライトマゼンタ（ＬＭ）を含めた６色のトナーを用いることも可能である。
【符号の説明】
【００９９】
４  光源
１１  中間転写ベルト
１１ａ，１１ｂ  テンションローラ
１３ａ  一次転写ユニット
１４  二次転写ユニット
１５  定着兼再利用装置
１６  内部給紙ユニット
１６ａ  給紙ローラ
１７  給紙ユニット
１７ａ  給紙ローラ
２０  特殊紙
２１  耐熱性樹脂シート
２２  離型層兼光吸収層
２３  光吸収層
２４  離型層
２５  光吸収層兼耐熱樹脂シート
２７  普通紙
３１  搬送ベルト
３２  駆動ローラ
３３  従動ローラ
３４  吸着チャージャー
３５  分離チャージャー
３６  除電チャージャー
３７  分離爪
３８  レーザー照射部
３９  ヒートシンク
３９  放熱板
４０  反射ミラー
４１  レーザー光
４２  定着兼除去ローラ
４３  バックアップローラ
４４  加圧レバー
４５  カム
４７  クリーニングウエブ
４８  供給ローラ
４９  圧接ローラ
５０  テンションローラ
５１  巻取ローラ
５３  ニップ部
６０  半導体レーザーアレイ
６１  半導体レーザー素子
６２  フォトダイオード
６３  シリコン基板
６４  ワイヤーボンド線
６５  表面電極
６６  セラミック基板
６７  レンズホルダー
６８  凸レンズ
７１  画像情報検出手段
７２  制御装置
Ａ，Ｂ，Ｃ  温度センサ
Ｌ１  レーザーヘッド
Ｌ２  用紙搬送装置
Ｌ３  トナー除去装置
Ｌ３  定着兼トナー除去装置
Ｌ４  クリーニング兼離型剤塗布装置
ｐ  配列ピッチ
ｐａ，ｐｂ  可視画像形成ユニット
【図１】
2010243596.tif 000003
【図２】
2010243596.tif 000004
【図３】
2010243596.tif 000005
【図４】
2010243596.tif 000006
【図５】
2010243596.tif 000007
【図６】
2010243596.tif 000008
【図７】
2010243596.tif 000009
【図８】
2010243596.tif 000010
【図９】
2010243596.tif 000011